【事件の表示】
　平成１１年特許願第１９８１７４号「定型フォーム処理装置および記録媒体」拒絶査定不服審判事件〔平成１３年　１月２６日出願公開，特開２００１−　２２７４１〕について，次のとおり審決する。
【結　論】
　本件審判の請求は，成り立たない。
【理　由】
１　手続の経緯・本願発明
　本願は，平成１１年７月１２日の出願であって，その請求項１に係る発明（以下「本願発明」という。）は，平成１６年１月２７日付けで補正された明細書及び図面の記載からみて，その特許請求の範囲の請求項１に記載された次の事項により特定されるものである。
　「定型フォームを処理する定型フォーム処理装置であって，
　定型フォームのイメージを入力するイメージ入力手段と，
　当該入力された定型フォームのイメージを表示する定型フォーム表示手段と，
　定型フォームに配置可能な情報についての項目であって，少なくとも差出人情報の項目を含む複数の項目を表示し，当該表示された複数の項目の中の１つをポインティング・デバイスにより選択する第１のグラフィカル・ユーザ・インタフェースと，
　当該選択された項目を表示されている定型フォーム上の任意の位置にポインティング・デバイスによりドラッグすることにより，当該選択された項目についての情報の配置位置を指示する第２のグラフィカル・ユーザ・インタフェースと，
　前記第１のグラフィカル・ユーザ・インタフェースにより表示する複数の項目と対応する情報を記憶する記憶手段と，
　前記第２のグラフィカル・ユーザ・インタフェースにより指示された前記配置位置に，前記選択された項目に対応する情報を前記記憶手段から読み出して表示する第３のグラフィカル・ユーザ・インタフェースと，
　少なくとも差出人情報の項目を含む前記選択された項目についての情報を入力する入力手段と，
　当該入力された情報と前記配置位置の情報とを含む差出人のレイアウト情報を，差出人情報とレイアウト情報ＩＤとの組み合わせに対応付けて前記記憶手段に書き込む登録／修正手段とを備え，
　前記第２のグラフィカル・ユーザ・インタフェースは，差出人情報とレイアウト情報ＩＤとの組み合わせに対応する前記記憶手段に書き込まれている前記差出人のレイアウト情報を表示する
　ことを特徴とする定型フォーム処理装置。」
　
２　引用例
　これに対して，当審の拒絶の理由に引用された，本願の出願日前に頒布された「筆自慢ＷＩＮ　ｖｅｒ１．０」操作マニュアル，株式会社メッツ，１９９４年１０月，Ｐ．６９−７４（以下「引用例１」という。），特開平２−１３６２７０号公報（以下「引用例２」という。）には，それぞれ，図面とともに，下記２−１，２−２の事項が記載されており，同じく引用された，本願の出願日前の１９９６年に日本国内において株式会社メッツから宛名印刷ソフトウエア「筆自慢８」として発売されることにより公然実施された発明（以下「引用例３」という。）は，下記２−３のとおりである。
　
２−１　引用例１（「筆自慢ＷＩＮ　ｖｅｒ１．０」操作マニュアル）の記載事項
(1)「６．３．２簡単レイアウトツールを使わない場合の表書き
１．まず，住所録データを入力します。
２．［ファイル（Ｆ）］メニューの「レイアウト」の「新規作成（Ｎ）」を実行します。
３．［ファイル（Ｆ）］メニューの「用紙設定（Ｙ）．．．」を実行します。
次のダイアログボックスが表示されます。」（６９頁１〜５行）
　６９頁の用紙設定のダイヤログボックスの画面を示す図には，「年賀はがき（縦）」の部分をクリックすると，「年賀はがき（縦）」のイメージが表示される様子が記載されている。
(2)「５．レイアウトツールより「宛先レイアウト」の所をクリックします。
宛先か差出人の変更をすると宛先項目選択リストが変わります。
それぞれの項目名は，住所録で入力したデータになりますが住所群と名前群は住所録にはありません。」（７０頁１〜４行）
　７０頁のレイアウトツールを示す図には，「宛先レイアウト」で設定するＧＵＩとして，宛先か差出人かを選択するラジオボタン，住所や名前等の宛先項目を選択するリストボックス，［貼付（Ｐ）］ボタン，［確定］ボタン等が記載されている。
(3)「「宛先レイアウト」の宛先項目リストより「住所群」を選択し，［貼り付け（Ｐ）］ボタンを押します。
８．貼り付けた直後は，編集状態になっていますので，「宛先レイアウト」ツールで変更することができます。
ここでは，住所群を縦書きにして任意の位置に移動させます。
「宛先レイアウト」ツールの縦書きをクリックします。
９．サイズを変更し，任意の場所に移動します。
１０．９．でオブジェクトがピンク色の枠になっていると編集モードになっていますのでレイアウトツールの［確認］を押します。」（７２頁２行〜７３頁３行）
　７２頁の上方の図には，「年賀はがき（縦）」のイメージの上に，オブジェクトの枠内に，住所群のデータが表示された状態で，住所群のオブジェクトが貼り付けられる様子が記載されている。
(4)「１１．次に差出人をレイアウトします。
１２．同じように住所群，名前群，郵便番号をレイアウトウインドウへ貼り付けます。
これで表書きのレイアウトが作成できました。
１３．「ファイル（Ｆ）」メニューの「レイアウト」の「名前を付けて保存」を実行してレイアウトファイルを保存します。」（７４頁１〜末行）
　７４頁の下方の図には，差出人の住所群，名前群，郵便番号のデータが所定の位置に貼り付けられた様子が記載されている。
　
　なお，引用例１の記載事項中の特殊な文字は，近似する文字に置き換え，また明白な誤記は訂正して上記のとおり認定した。
　
２−２　引用例２（特開平２−１３６２７０号公報）の記載事項
(1)「利用者が使用している規定フォーマットの伝票を読み取る読取手段と利用者の操作によって印刷フォームを定義することができる帳票設計装置とを備え，伝票発行を行うシステムにおいて，読取手段により規定フォーマットの伝票を帳票設計装置にイメージ情報として読み取り，このイメージ情報と帳票設計装置内で印刷項目を定義したものを合成し印刷フォームとして使用することにより，規定フォーマットの伝票の印字位置，大きさを論理画面上で意識することなく，また，規定フォーマットと同一の印刷フォームを簡単な操作で作成できることを特徴とする帳票設計方式。」（特許請求の範囲）
　
２−３　引用例３の公然実施発明
　「宛先又は差出人の宛先レイアウト項目を選択して新規貼付ボタンを押すこと，又は，宛先レイアウト項目のところをダブルクリックすること，又は，宛先レイアウト項目をレイアウトウインドウにドラッグ＆ドロップすることのいずれによっても，宛先又は差出人の宛先レイアウト項目のオブジェクトをレイアウトウインドウの任意の位置に貼り付けることができる宛先レイアウトツールを備える宛名印刷ソフト」
　
２−４　引用例記載発明
(1)　上記２−１の記載事項を検討するに，引用例１の宛名印刷ソフトは，年賀はがきに宛先と差出人の住所，氏名，郵便番号等を印刷するため，
(a)　住所録データを入力し，
(b)　年賀はがきのイメージを表示し，
(c)　宛先と差出人の住所，氏名，郵便番号等の項目を表示し，表示された宛先と差出人の住所，氏名，郵便番号等の項目の中の１つをマウスのクリック操作で選択し，
(d)　表示された年賀はがきのイメージ上の任意の位置に，選択された項目についての情報の配置位置を指示し，
(e)　指示された配置位置に選択された項目について住所録データから得られる情報を表示し，
(f)　配置位置の指示されたレイアウトを名前を付けて保存
するものである。
　そして，引用例１の宛名印刷ソフトがインストールされたコンピュータは，上記の各処理を実行するから，引用例１には，上記の各処理を実行する手段を備え，年賀はがきの宛名印刷処理をする処理装置が記載されているということができる。
　しかも，この処理装置が記憶手段を有すること，入力された住所録データや作成されたレイアウトがこの記憶手段に記憶されること，この記憶手段から住所録データが読み出されること等は当業者が容易に理解することである。
(2)　してみると，引用例１には，
「年賀はがきの宛名印刷処理をする年賀はがき処理装置であって，
　年賀はがきのイメージを表示する年賀はがき表示手段と，
　年賀はがきに配置可能な情報についての項目であって，差出人の氏名，郵便番号等の項目を含む複数の項目を表示し，当該表示された複数の項目の中の１つをマウスのクリック操作で選択する第１の手段と，
　表示された年賀はがきのイメージ上の任意の位置に，選択された項目についての情報の配置位置を指示する第２の手段と，
　前記第１の手段により表示される複数の項目と対応する住所録データを記憶する記憶手段と，
　前記第２の手段により指示された前記配置位置に前記選択された項目に対応する住所録データを前記記憶手段から読み出して表示する第３の手段と，
　住所録データを入力する入力手段と，
　配置位置の指示されたレイアウトを前記記憶手段に名前を付けて保存する保存手段とを備える
　ことを特徴とする年賀はがき処理装置。」
の発明（以下「引用例記載発明」という。）が記載されていると認められる。
　
３　対比
(1) そこで，本願発明（以下「前者」という。）と引用例記載発明（以下「後者」という。）とを対比すると，後者の「年賀はがき」は，差出人の住所，氏名，郵便番号等を記載する位置がおおよそ決まっているから，前者の「定型フォーム」に相当する。
　また，後者の「マウス」は，前者の「ポインティング・デバイス」に相当する。
　そして，後者の「第１の手段」，「第２の手段」，「第３の手段」は，いずれも，マウスの操作によって実行できるから，前者の「第１のグラフィカル・ユーザ・インタフェース」，「第２のグラフィカル・ユーザ・インタフェース」，「第３のグラフィカル・ユーザ・インタフェース」にそれぞれ対応する。
(2) そうすると，本願発明と引用例記載発明は，
　「定型フォームを処理する定型フォーム処理装置であって，
　定型フォームのイメージを表示する定型フォーム表示手段と，
　定型フォームに配置可能な情報についての項目であって，複数の項目を表示し，当該表示された複数の項目の中の１つをポインティング・デバイスにより選択する第１のグラフィカル・ユーザ・インタフェースと，
　当該選択された項目を表示されている定型フォーム上の任意の位置に，当該選択された項目についての情報の配置位置を指示する第２のグラフィカル・ユーザ・インタフェースと，
　前記第１のグラフィカル・ユーザ・インタフェースにより表示する複数の項目と対応する情報を記憶する記憶手段と，
　前記第２のグラフィカル・ユーザ・インタフェースにより指示された前記配置位置に，前記選択された項目に対応する情報を前記記憶手段から読み出して表示する第３のグラフィカル・ユーザ・インタフェースと，
　前記選択された項目についての情報を入力する入力手段とを備える
　ことを特徴とする定型フォーム処理装置。」
である点で一致し，下記の点で相違する。
〔相違点１〕前者は，「定型フォームのイメージを入力するイメージ入力手段」を有し，「当該入力された」定型フォームのイメージを表示するのに対し，後者は，イメージ入力手段を有せず，記憶手段に予め記憶されたイメージを表示する点。
〔相違点２〕前者の表示，選択される項目は，「少なくとも差出人情報の項目を含む」のに対し，後者の表示，選択される項目は，そうでない点。
〔相違点３〕前者の第２のグラフィカル・ユーザ・インタフェースは，「選択された項目を表示されている定型フォーム上の任意の位置にポインティング・デバイスによりドラッグすることにより」配置位置を指示するのに対し，後者の第２のグラフィカル・ユーザ・インタフェースは，そうでない点。
〔相違点４〕前者は，「当該入力された情報と前記配置位置の情報とを含む差出人のレイアウト情報を，差出人情報とレイアウト情報ＩＤとの組み合わせに対応付けて前記記憶手段に書き込む登録／修正手段」を有するのに対し，後者は，配置位置の指示されたレイアウトを前記記憶手段に名前を付けて保存する保存手段を備える点。
〔相違点５〕前者は，「前記第２のグラフィカル・ユーザ・インタフェースは，差出人情報とレイアウト情報ＩＤとの組み合わせに対応する前記記憶手段に書き込まれている前記差出人のレイアウト情報を表示する」のに対し，後者は，そうでない点。
　
４　判断
(1)　相違点１について
　引用例２には，読取手段により規定フォーマットの伝票を帳票設計装置にイメージ情報として読み取り，このイメージ情報と帳票設計装置内で印刷項目を定義したものを合成し印刷フォームとして使用することが記載されており，後者の定型フォームをイメージ入力手段により入力したイメージとすることは，当業者が容易に想到し得ることである。
(2)　相違点２について
　宛名印刷ソフトの技術分野において，複数の差出人情報を登録し，差出人情報の項目を表示し，選択された差出人情報に基づいて宛名印刷を行うことは，周知の事項である（引用例１の１３１頁参照。）。
　してみると，後者において，第１のグラフィカル・ユーザ・インタフェースが表示する項目として，差出人情報の項目を含めること，及び，入力手段が入力する選択された項目についての情報として，差出人情報の項目についての情報を含めることは，当業者が容易に想到し得ることである。
(3)　相違点３について
　宛先又は差出人の宛先レイアウト項目をレイアウトウインドウにドラッグ＆ドロップすることにより，宛先レイアウト項目のオブジェクトをレイアウトウインドウの任意の位置に貼り付けることは，引用例１の宛名印刷ソフトがバージョンアップされた引用例３に係る宛名印刷ソフトで公然実施されていることであるから，後者において，第２のグラフィカル・ユーザ・インタフェースが選択された項目についての情報の配置位置を指示する際，選択された項目を表示されている定型フォーム上の任意の位置にポインティング・デバイスによりドラッグすることにより配置位置を指示する構成とすることは，当業者が容易に想到し得ることである。
(4)　相違点４について
　後者において，記憶手段に名前を付けて保存されるレイアウトファイルは，差出人の住所，氏名，郵便番号等の項目の配置位置の情報を含むものであるが，差出人の住所，氏名，郵便番号等の情報そのものは，レイアウトファイルとは別のファイルである住所録ファイルに保存されるものである。
　これは，レイアウトファイルと住所録ファイルとを組み合わせて使用することにより，１つのレイアウトを複数の差出人が共用でき，また，１人の差出人が複数のレイアウトを使用できるようにするものである。即ち，差出人毎にレイアウトを作成しなくても，１つのレイアウトを作成すれば，複数の差出人について，差出人を選択するだけで，年賀はがきの差出人欄の印刷ができるようにするとともに，複数のレイアウトを作成すれば，レイアウト毎に住所録ファイルを作成しなくても，同一の差出人について，異なるレイアウトで差出人欄の印刷ができるようにしたものである。
　ところで，一般に，事物を共用にするか，専用にするかは，共用，専用の得失を考慮して，当業者が適宜選択する事項であるから，共用していた事物を専用化することに特段の阻害要因がない限り，共用していた事物を専用化することは容易である。
　そして，宛名印刷ソフトにおいて，レイアウトを複数の差出人の共用としても，１人の差出人の専用としても，格別の問題はないから，後者において，複数の差出人で１つのレイアウトを共用するのに代えて，差出人毎にレイアウトを作成することに，特段の阻害要因はない。
　そして，後者において，差出人毎にレイアウトを作成する際，作成されたレイアウトと住所録とを１つのファイルとし，レイアウトに係る情報と差出人に係る情報との組み合わせに対応付けてファイル名を作成し，記憶手段に保存することは，当業者が適宜なし得ることである。
　また，宛名印刷ソフトの技術分野において，保存したレイアウトファイルを開き，レイアウトを修正した後，修正されたレイアウトを上書き保存することは周知の事項であるから，後者において，保存手段が新規に作成されたレイアウトの保存だけでなく，修正されたレイアウトを上書き保存できるようにすること，即ち，保存手段を登録／修正手段とすることは，当業者が容易になし得ることである。
　したがって，後者において，相違点４に係る構成を得ることは，当業者が容易に想到し得ることである。
(5)　相違点５について
　宛名印刷ソフトの技術分野において，保存した住所録ファイルとレイアウトファイルを開き，それらのファイルの内容を表示することは周知の事項であるから，後者において，記憶手段に格納された住所録ファイルとレイアウトファイルを開き，それらのファイルの内容を表示する手段を具備することは，当業者が容易に想到し得ることであり，また，この手段による操作を，第２の手段に実行させることは，当業者が適宜なし得ることである。
　そして，記憶手段に格納される情報を，差出人情報とレイアウト情報ＩＤとの組み合わせに対応する差出人のレイアウト情報とすることは，上記相違点４で述べたとおり容易であるから，後者において，第２の手段により差出人情報とレイアウト情報ＩＤとの組み合わせに対応する差出人のレイアウト情報を表示することも容易である。
(6)　作用効果について
　本願発明の作用効果についてみても，引用例記載発明，引用例２に記載された事項，引用例３の公然実施発明及び周知事項から当業者が予測し得る程度のものであり，格別のものとはいえない。
　
５　むすび
　したがって，本願発明は，引用例記載発明，引用例２に記載された事項，引用例３の公然実施発明及び周知事項に基づいて，当業者が容易に発明をすることができたものであるので，特許法第２９条第２項の規定により特許を受けることができない。
　よって，結論のとおり審決する。